(57)【要約】【課題】  金型へ鋳抜きピン等の金型機能部材を取り付ける際に、金型のキャビティ側と、その反対側との両側から作業を行う必要がある。また、金型機能部材に方向性がある場合、回転させて取り付ける場合は、位相を合わせるために取付作業が煩雑となっている。【解決手段】金型に形成した機能部材嵌合部に、金型機能部材と係止ブロックとを嵌合したうえで、係止ブロックと金型とを締結して、金型に金型機能部材を固定する。金型機能部材の座部には係止部を形成し、係止ブロックには、金型機能部材の係止部に係止させることによって、金型機能部材の金型より抜け出す方向への動きを規制することが可能な係止部を形成する。【選択図】図１
2005138147.tif 000002
【特許請求の範囲】
【請求項１】
金型に金型機能部材を固定するための構造において、
金型機能部材の座部に係合部を形成し、
係止ブロックに、前記金型機能部材の係合部と係合して金型機能部材の金型より抜け出す方向への動きを規制可能な係止部を形成し、
金型機能部材の係合部に係止ブロックの係止部が係合された状態で、金型機能部材と係止ブロックとを嵌合可能な機能部材嵌合部を金型に形成し、
金型機能部材と係止ブロックとを部材嵌合部に嵌合したうえで、係止ブロックと金型とを締結することを特徴とする金型機能部材の固定構造。
【発明の詳細な説明】
【技術分野】
【０００１】
本発明は、金型に付設する金型機能部材の固定構造に関する。
【背景技術】
【０００２】
従来、鋳物に貫通穴や凹部等の凹形状部を形成する場合、鋳造用金型の内部に形成されるキャビティに鋳抜きピン（ピン状の入子、中子ピン）を突出するように金型本体に設ける。このように、鋳抜きピンが備えられた鋳造用金型のキャビティに、型締め状態で溶湯を注入して鋳物を鋳造したのち、型開き動作にて鋳抜きピンを鋳物から引き抜くことにより、鋳物に貫通穴等の凹形状部を形成することができる。
【０００３】
上述のような鋳造用金型において、鋳抜きピンは、キャビティに注入される溶湯の押出圧に耐えることのできるように、また、金型からの脱着が容易となるように、キャビティ側からの螺入等によって金型本体に固定するように構成されている。
例えば、特許文献１に記載の鋳造用金型では、金型本体にピン装着用孔を形成するとともに、鋳抜きピンの基部に雄ねじを形成し、金型本体のキャビティと反対側よりピン装着用孔に鋳抜きピンを受けるとともに固定するためのフランジを挿入し、金型本体のキャビティ側よりピン装着用孔に鋳抜きピンを挿入してフランジと締結することによって、鋳抜きピンを金型本体に固定している。
【０００４】
【特許文献１】実開平３−１８９４４号公報
【発明の開示】
【発明が解決しようとする課題】
【０００５】
しかし、上述の従来技術における鋳造用金型において、金型本体へ鋳抜きピンを取り付ける際に、金型本体のキャビティ側と、その反対側との両側から作業を行う必要がある。従って、重量物である金型本体を裏返す作業が必要となって作業が煩雑であり、また、金型の形状によっては鋳抜きピンとフランジとの締結作業が困難である場合が想定される。
さらに、鋳抜きピンとフランジとを締結した後は、鋳抜きピンの位置の微調整が困難であり、ピン装着用孔を形成する金型本体の加工精度を高める必要が生じる。特に、方向性を有する異形の鋳抜きピンの場合は固定位相が重要となるが、微調整が困難であれば、鋳抜きピン取付作業が困難となるという不具合が生じる。
【課題を解決するための手段】
【０００６】
本発明の解決しようとする課題は以上の如くであり、次にこの課題を解決するための手段を説明する。
【０００７】
即ち、請求項１においては、金型に金型機能部材を固定するための構造において、金型機能部材の座部に係合部を形成し、係止ブロックに、前記金型機能部材の係合部と係合して金型機能部材の金型より抜け出す方向への動きを規制可能な係止部を形成し、金型機能部材の係合部に係止ブロックの係止部が係合された状態で、金型機能部材と係止ブロックとを嵌合可能な機能部材嵌合部を金型に形成し、金型機能部材と係止ブロックとを部材嵌合部に嵌合したうえで、係止ブロックと金型とを締結するものである。
【発明の効果】
【０００８】
本発明の効果として、以下に示すような効果を奏する。
【０００９】
請求項１においては、金型機能部材を金型に対して一方向から取り付けることができる。また、金型機能部材を回転させる必要がないので、取付作業時に金型機能部材の取付方向を調整しながら取り付ける必要がないので、取付作業が簡易となる。
【発明を実施するための最良の形態】
【００１０】
次に、発明の実施の形態を説明する。
図１は本発明の実施例に係る金型機能部材の固定構造を示す側面断面図、図２は固定ブロックと金型機能部材と係止ブロックとを組み付ける様子を示す側面断面図、図３は固定ブロックと金型機能部材と係止ブロックとを組み付けた状態を示す側面断面図、図４は金型へ金型機能部材を取り付ける様子を示す側面断面図である。
図５は別実施例に係る金型機能部材の固定構造を示す側面断面図である。
【００１１】
本実施例では、金型機能部材として鋳抜きピンを一例に挙げ、該金型機能部材を鋳造用金型に固定する構造について説明する。但し、本発明に係る機能部材の固定構造が適応される金型機能部材は、鋳抜きピンに限定されるものではなく、広く金型機能部材を金型に固定する構造に適応させることができる。また、金型も鋳造用金型に限定されるものではなく、例えば、樹脂成型用金型とすることができる。
【００１２】
図１に示す如く、金型機能部材１２は、固定ブロック１１と、係止ブロック１３と、締結部材１５とにより、金型１４の機能部材嵌合部１４ａに固定される。
【００１３】
図２にも示す如く、前記金型機能部材１２は、本実施例においては鋳抜きピン（ピン状の入子、中子ピン）であって、機能部１２ａと、座部１２ｂとで構成されている。ここで、機能部１２ａとは、金型１４に金型機能部材１２を固定したときに金型１４より突出する部分を指すものとし、残りの金型１４に隠れる部分を座部１２ｂとする。該座部１２ｂには、固定ブロック１１に係止されるための係合部１２ｄと、係止ブロック１３に係止されるための係合部１２ｃとが形成されている。
なお、本実施例においては、座部１２ｂに形成された係合部１２ｄと係合部１２ｃとは、それぞれ座部１２ｂの下部において固定ブロック１１側と係止ブロック１３側とへ突出する凸形状部であって、従って、座部１２ｂの下部は階段状に形成されている。
【００１４】
また、固定ブロック１１には、前記金型機能部材１２を嵌合可能な嵌合部１１ａと、前記金型機能部材１２の座部１２ｂに形成された係合部１２ｄを嵌合且つ係止可能な係止部１１ｂとが、形成されている。
なお、本実施例において、係止部１１ｂは嵌合部１１ａの内周において座面の形成された切欠形状部であって、金型機能部材１２の係合部１２ｄと合致する形状とされており、前記金型機能部材１２の係合部１２ｄが該係止部１１ｂに嵌合されると座面により金型機能部材１２が金型への取付面と反対側（図１において上方）へ抜け出ることができないように係止可能に形成されている。
【００１５】
係止ブロック１３は、前記金型機能部材１２の座部１２ｂに形成された係合部１２ｃを嵌合且つ係止可能な係止部１３ｃと、係止ブロック１３を金型１４に固定するための締結部材１５を挿入可能な挿入孔１３ａとが、形成されている。また、係止ブロック１３はその形状により、金型機能部材１２だけでなく固定ブロック１１をも金型への取付面と反対側（図１において上方）へ抜け出ないように係止可能に形成されている。
なお、本実施例において、係止部１３ｃは座面の形成された切欠形状部であって、金型機能部材１２の係合部１２ｃと合致する形状とされており、前記金型機能部材１２の係合部１２ｃが該係止部１３ｃに嵌合されると座面により金型機能部材１２が金型への取付面と反対側（図１において上方）へ抜け出ることができないように係止可能に形成されている。
【００１６】
金型機能部材１２を取り付ける金型１４には、図４にも示す如く、該金型機能部材１２を配設する機能部材嵌合部１４ａと、該機能部材嵌合部１４ａの底部に位置し前記締結部材１５を挿入可能な挿通穴１４ｂとが、形成されている。前記挿通穴１４ｂは螺穴であって、締結部材１５の先端部に形成された雄螺子と、挿通穴１４ｂの内周部に形成された雌螺子とが螺合可能とされている。
【００１７】
金型機能部材１２を金型１４へ取り付ける工程において、まず、図２に示す如く、固定ブロック１１の係止部１１ｂに金型機能部材１２の係合部１２ｄを嵌合させたのち、係止ブロック１３の係止部１３ｃを金型機能部材１２の係合部１２ｃに係合させる。このとき、図３に示す如く、固定ブロック１１と、金型機能部材１２の座部１２ｂと、係止ブロック１３とにより、金型１４に形成された機能部材嵌合部１４ａの形状が形成される。
【００１８】
そして、図４に示す如く、金型１４の機能部材嵌合部１４ａに、固定ブロック１１と、金型機能部材１２と、係止ブロック１３とを一体として、嵌合する。最後に、係止ブロック１３に形成された挿入孔１３ａと、金型１４の挿通穴１４ｂとに、一本の締結部材１５を挿入して、金型１４に係止ブロック１３を締結すれば、図１に示す如く、金型１４に金型機能部材１２が固定される。
【００１９】
上述の工程により金型１４に固定されている金型機能部材１２は、該金型機能部材１２が固定ブロック１１と係止ブロック１３とに係止されて抜け止めされ、固定ブロック１１が係止ブロック１３に係止されて抜け止めされ、係止ブロック１３は締結部材１５により金型１４に締結されて、金型機能部材１２が金型１４に固定されている。
【００２０】
但し、必ずしも固定ブロック１１が必要であるわけではなく、図５に示す如く、金型１４の機能部材嵌合部１４ａに金型機能部材１２の係合部１２ｄを嵌合且つ係止可能な係止部１４ｃを形成し、固定ブロック１１を省略することもできる。
この場合、金型１４の係止部１４ｃに金型機能部材１２の係合部１２ｄを嵌合させたのち、係止ブロック１３の係止部１３ｃを金型機能部材１２の係合部１２ｃに嵌合させ、係止ブロック１３の挿入孔１３ａと金型１４の挿通穴１４ｂとに締結部材１５を挿通させることによって、係止ブロック１３と金型１４とを締結することにより、金型機能部材１２を金型１４に固定する。これに加え、座部１２ｂに挿通孔１２ｅを形成するとともに、金型１４に挿通孔１４ｆ・挿通穴１４ｅを形成し、挿通孔１４ｆと挿通孔１２ｅと挿通穴１４ｅに締結部材１５を挿通させて金型機能部材１２の抜け止め構造とすることもできる。
上述の如く、固定ブロック１１の形状やその有無は、金型１４の形状や金型機能部材１２の形状に応じて、適宜調整することが好ましい。
【００２１】
本発明に係る金型機能部材の固定構造によれば、金型１４に対して金型機能部材１２を一方向からの作業にて固定することができる。
従って、従来の鋳抜きピンを金型に取り付ける作業のように、金型の表裏両面から取付作業をする必要がなく、作業が簡易となり、作業性の向上が期待される。
【００２２】
また、固定ブロック１１と係止ブロック１３とを用いて金型機能部材１２を金型１４の機能部材嵌合部１４ａへ固定するため、金型１４及び金型機能部材１２を製作したあとでも、固定ブロック１１と係止ブロック１３とを調整することにより金型機能部材１２の固定位置を微調整することができる。さらに、金型機能部材１２を一旦金型１４に対して固定したあとでも、金型機能部材１２の位置の微調整が容易である。そして、金型機能部材１２を金型１４に対して回転させて取り付ける構造ではなく、金型機能部材１２の位相を維持した状態で金型１４に取り付ける構造であるため、方向性を有する異形の金型機能部材１２であっても、取付作業が容易である。
さらに、固定ブロック１１と係止ブロック１３とを汎用化させることにより、様々な形状又は種類の金型機能部材１２に対して同様の構造にて金型１４に固定することが可能となる。
【図面の簡単な説明】
【００２３】
【図１】本発明の実施例に係る金型機能部材の固定構造を示す側面断面図。
【図２】固定ブロックと金型機能部材と係止ブロックとを組み付ける様子を示す側面断面図。
【図３】固定ブロックと金型機能部材と係止ブロックとを組み付けた状態を示す側面断面図。
【図４】金型へ金型機能部材を取り付ける様子を示す側面断面図。
【図５】別実施例に係る金型機能部材の固定構造を示す側面断面図。
【符号の説明】
【００２４】
１１  固定ブロック
１２  金型機能部材
１３  係止ブロック
１４  金型
１４ａ  機能部材嵌合部
１５  締結部材
【図１】
2005138147.tif 000003
【図２】
2005138147.tif 000004
【図３】
2005138147.tif 000005
【図４】
2005138147.tif 000006
【図５】
2005138147.tif 000007